(57)【特許請求の範囲】
【請求項１】
アウター部材とそのアウター部材の内側に配備されたインナー部材とにより相対向状に配備された２つの軒樋を弾圧挟持してそれら２つの軒樋を接続する樋継手において、
２つの上記軒樋の各耳部の上面に重なり合う板状の耳押え部が上記アウター部材に設けられており、その耳押え部の先端部下面に、上記各耳部の内側コーナ部に係合してそれらの耳部をアウター部材に保持させる第１係合突起と、上記インナー部材の上端部に具備された被係合部に係合してそのインナー部材をアウター部材に保持させる第２係合突起とが、内外方向に位置をずらせて設けられていて、
上記第２係合突起の位置が上記第１係合突起の位置の内方にずれており、かつ、上記第１係合突起が、上記第２係合突起の両側に位置するように２分割されていることを特徴とする樋継手。
【請求項２】
上記アウター部材の耳押え部の中央を内方に突出させた幅の狭い幅挟部の先端部下面に第２係合突起が設けられることで、第１係合突起と第２係合突起とを内外方向に位置をずらしている請求項１に記載の樋継手。
【請求項３】
上記アウター部材が下壁とその下壁の前端縁から立ち上げられた前壁とを有し、アウター部材とインナー部材とにより弾圧挟持された２つの上記軒樋に備わっている底壁とその底壁の前端縁から立ち上がっている前壁とが上記アウター部材の下壁及び前壁に弾接状態で重なり合うようになっており、
上記インナー部材が下壁とその下壁の前端縁から立ち上げられた前壁とを有し、かつ、そのインナー部材の前壁が下側部分と上側部分とに２区画されており、アウター部材とインナー部材とにより弾圧挟持された２つの上記軒樋の底壁がこのインナー部材の下壁に弾接状態で重なり合い、かつ、２つの上記軒樋の上記底壁の前端縁から立ち上がっている前壁の下側部分にこのインナー部材の前壁の上記下側部分が弾接状態で重なり合うようになっていると共に、このインナー部材の前壁の上記上側部分が２つの上記軒樋の前壁に対し間隔を隔てて配備されるようになっていて、その上側部分の上端部に、この上側部分の弾性により上記第２係合突起に弾圧係合する上記被係合部が形成されている請求項１又は請求項２に記載の樋継手。
【発明の詳細な説明】
【０００１】
【発明の属する技術分野】
本発明は、樋継手、特にアウター部材とインナー部材とにより相対向状に配備された２つの軒樋を弾圧挟持してそれら２つの軒樋を接続する樋継手に関する。
【０００２】
【従来の技術】
この種の樋継手は、アウター部材とインナー部材とに分かれているために成形が容易であり、そのため主にアウター部材によって発揮される外観のデザイン性を向上しやすいという長所を有している。この樋継手において、アウター部材やインナー部材は接着剤を用いて軒樋に接合されて一体化されるのであるけれども、アウター部材とインナー部材とを係合状態で結合されるようにして施工性を高めるようにしておくことが望まれる。このような樋継手、すなわちアウター部材とインナー部材とが係合状態で結合される形式の樋継手では、アウター部材とインナー部材との係合箇所が、風雨の影響で容易に外れない構造になっていることが要求される一方で、施工性を高めるためにはその係合箇所においてアウター部材にインナー部材を作業性よく容易かつ確実に短時間で係合させ得るものであることが要求される。
【０００３】
【発明が解決しようとする課題】
本発明は以上の状況の下でなされたものであり、上記したようなアウター部材とインナー部材とにより相対向状に配備された２つの軒樋を弾圧挟持してそれら２つの軒樋を接続するようになっている樋継手において、アウター部材とインナー部材との係合箇所での両者の係合を作業性よく行うことが可能であり、しかも、係合させた後では、その係合箇所が風雨などの影響に伴う軒樋の耳部の変位などによっても容易に外れることがなくなり、長期に亘って初期の外観を保つことのできる樋継手を提供することを目的とする。
【０００４】
また、本発明は、上記係合箇所での施工間違い（施工ミス）が生じなくなる樋継手を提供することを目的とする。
【０００５】
さらに、本発明は、アウター部材とインナー部材とにより軒樋を強固に弾圧挟持させることができるようにすることによって、未硬化の接着剤を軒樋とアウター部材及びインナー部材との間に介在させてその軒樋をアウター部材とインナー部材とによって弾圧挟持させた後の接着剤の硬化によって、アウター部材やインナー部材が軒樋に対して位置ずれすることなく強固に接合するようになる樋継手を提供することを目的とする。
【０００６】
【課題を解決するための手段】
本発明に係る樋継手は、アウター部材とそのアウター部材の内側に配備されたインナー部材とにより相対向状に配備された２つの軒樋を弾圧挟持してそれら２つの軒樋を接続するものである。したがって、アウター部材やインナー部材を個別に単純な形状に成形することが可能である。また、アウター部材のデザイン性を向上させることができる。
【０００７】
本発明では、２つの上記軒樋の各耳部の上面に重なり合う板状の耳押え部が上記アウター部材に設けられており、その耳押え部の先端部下面に、上記各耳部の内側コーナ部に係合してそれらの耳部をアウター部材に保持させる第１係合突起と、上記インナー部材の上端部に具備された被係合部に係合してそのインナー部材をアウター部材に保持させる第２係合突起とが、内外方向に位置をずらせて設けられている。
【０００８】
これによると、アウター部材の内側に軒樋を嵌め込んでアウター部材の第１係合突起に軒樋の耳部の内側コーナ部を係合させることによって、軒樋の耳部がアウター部材に保持される。また、軒樋を嵌め込んだアウター部材の内側にインナー部材を嵌め込んでアウター部材の第２係合突起にインナー部材の被係合部を係合させることによって、インナー部材がアウター部材に保持される。ここで、第１係合突起と第２係合突起とはアウター部材の耳押え部に内外方向に位置をずらせて設けられているので、第１係合突起に軒樋の耳部の内側コーナ部を係合させる作業と第２係合突起にインナー部材の被係合部を係合させる作業とを順序よく分けて容易に行うことができるだけでなく、第１係合突起と軒樋の耳部の内側コーナ部との係合状態の良否や第２係合突起とインナー部材の被係合部との係合状態の良否を目で見て確認しやすくなり、そのことが施工信頼性を高めることに役立つ。その上、施工後に風雨の影響などで軒樋の耳部が変位しても、その耳部の変位の影響が第２係合突起とインナー部材の被係合部との係合箇所に及びにくい。そのため、第２係合突起とインナー部材の被係合部との係合箇所が容易に外れることがなくなり、長期に亘って初期の外観を保つことができるようになる。
【０００９】
本発明では、上記第２係合突起の位置が上記第１係合突起の位置の内方にずれている。そして、上記第１係合突起が、上記第２係合突起の両側に位置するように２分割されていることが望ましい。また、第２係合突起が、上記アウター部材の耳押え部の中央を内方に突出させた幅の狭い幅挟部の先端部下面に第２係合突起が設けられていることが望ましい。
【００１０】
第２係合突起が耳押え部の幅挟部に設けられているものは、インナー部材の被係合部を第２係合突起に係合させる作業を、配備された軒樋の内方で行うことができるため、その係合を確実にかつ容易に行うことができる。そして、第２係合突起が第１係合突起の内方にずれた位置に形成されているものでは、インナー部材の被係合部を第２係合突起に係合させる作業を、アウター部材に接合された軒樋の内方で行うことができるため、その係合作業を確実にかつ容易に行うことができる。これらの作用は、第２係合突起が突出した幅挟部に設けられているものにおいて特に顕著に発揮される。
【００１１】
本発明では、上記アウター部材が下壁とその下壁の前端縁から立ち上げられた前壁とを有し、アウター部材とインナー部材とにより弾圧挟持された２つの上記軒樋に備わっている底壁とその底壁の前端縁から立ち上がっている前壁とが上記アウター部材の下壁及び前壁に弾接状態で重なり合うようになっており、上記インナー部材が下壁とその下壁の前端縁から立ち上げられた前壁とを有し、かつ、そのインナー部材の前壁が下側部分と上側部分とに２区画されており、アウター部材とインナー部材とにより弾圧挟持された２つの上記軒樋の底壁がこのインナー部材の下壁に弾接状態で重なり合い、かつ、２つの上記軒樋の上記底壁の前端縁から立ち上がっている前壁の下側部分にこのインナー部材の前壁の上記下側部分が弾接状態で重なり合うようになっていると共に、このインナー部材の前壁の上記上側部分が２つの上記軒樋の前壁に対し間隔を隔てて配備されるようになっていて、その上側部分の上端部に、この上側部分の弾性により上記第２係合突起に弾圧係合する上記被係合部が形成されているという構成を採用することが可能である。
【００１２】
これによると、インナー部材の被係合部をアウター部材の第２係合突起に弾圧係合させた場合に、インナー部材の前壁の下側部分が軒樋の前壁の下側部分をアウター部材の前壁に強く弾圧させる作用が発揮され、この作用によって、アウター部材とインナー部材とによって弾圧挟持された軒樋が、アウター部材やインナー部材に容易に動かないように結合される。そのため、未硬化の接着剤を軒樋とアウター部材及びインナー部材との間に介在させてその軒樋をアウター部材とインナー部材とによって弾圧挟持させた場合に、その後の接着剤の硬化によってアウター部材やインナー部材が軒樋に位置ずれすることなく強固に接合するようになる。
【００１３】
【発明の実施の形態】
図１は本発明の第１実施形態に係る樋継手Ａの使用状態を示した側面図、図２はアウター部材１０の概略平面図、図３はインナー部材５０の概略平面図、図４は図１のＩＶ部拡大図、図５は図１のＶ部拡大図、図６はアウター部材１０と軒樋Ｂとインナー部材５０との左右方向（矢印Ｘ）での位置関係を平面視で示した説明図である。
【００１４】
図１で判るように、この樋継手Ａの使用対象である軒樋Ｂは、略平坦な底壁１とその底壁１の前端縁及び後端縁からそれぞれ立ち上がっている前壁２及び後壁３とを一体に有し、それらの底壁１、前壁２及び後壁３には弾性が備わっている。前壁２はその高さ方向（矢印Ｈ）の中間部が前方に迫り出す形に形成されていて、その前壁２の下部に中空部４が備わり、その中空部４の下端に水切り凸条５が全長に亘って形成されている。また、前壁２の高さ方向中間部に全長に亘る水受け溝６が設けてあり、その水受け溝６の形成箇所は前壁２に具備された中空部７によって補強されている。そして、水受け溝６の内面下端と中空部７の内面下端とに水抜き孔６ａ，７ａが連通状態で適宜間隔をおいて穿孔されている。さらに、前壁２の上端部に全長に亘ってその前壁２から内側に突き出す形で中空の耳部８が備わっている。この耳部８の内側コーナ部８ａは略直角に形成されている。これに対し、後壁３は底壁１の後端縁からほぼ垂直に立ち上がっており、その上端部に全長に亘ってその後壁３から内側に突き出す形で中空の耳部９が備わっている。この耳部９の内側コーナ部９ａも略直角に形成されている。
【００１５】
図１及び図２のように、樋継手Ａのアウター部材１０は、下壁１１とその下壁１１の前端縁及び後端縁からそれぞれ立ち上がっている前壁１２及び後壁１３とを一体に有し、それらの下壁１１、前壁１２及び後壁１３には弾性が備わっている。前壁１２は高さ方向の中間部が前方に迫り出す形に形成されていて、その前壁１２の下部に膨らみ部１４が備わり、その膨らみ部１４の下端に水切り凹条１５が全長に亘って形成されている。また、前壁１２の高さ方向中間部に全長に亘る膨らみ部１６があり、さらに、前壁１２の上端部に全長に亘ってその前壁１２から内側に突き出す形で板片状の耳押え部１８が備わっている。この耳押え部１８は、基部側の幅広部１９とその幅広部１９の中央から内方へ突出した幅狭部２０とを備えていて、幅広部１９の先端部内面に左右に２つに分割されたリブ状の第１係合突起２１，２１があり、幅狭部２０の先端部内面にはリブ状の第２係合突起２２がある。このため、図２で判るように、第２係合突起２２の位置は、第１係合突起２１，２１の位置の内方にずれており、しかも、２分割されている第１係合突起２１，２１が第２係合突起２２を挟む両側に位置している。さらに、２分割された２つの第１係合突起２１，２１の相互間の箇所は、耳押え部１８の裏面と面一になっている。
【００１６】
アウター部材１０の後壁１３の上端部にも全長に亘ってその後壁１３から内側に突き出す形で板片状の耳押え部２４が備わっている。この耳押え部２４は、基部側の幅広部２５とその幅広部２５の中央から内方へ突出した幅狭部２６とを備えていて、幅広部２５の先端部内面に左右に２つに分割されたリブ状の第１係合突起２７，２７があり、幅狭部２６の先端部内面にはリブ状の第２係合突起２８がある。このため、図２で判るように、第２係合突起２８の位置は、第１係合突起２７，２７の位置の内方にずれており、しかも、２分割されている第１係合突起２７，２７が第２係合突起２８を挟む両側に位置している。さらに、２分割された２つの第１係合突起２７，２７の相互間の箇所は、耳押え部２４の裏面と面一になっている。
【００１７】
さらに、図２のように、アウター部材１０の下壁１１の内面側に、その下壁１１の左右方向中央部に位置する位置決め突起３１がリブ状に設けられている。同様に、後壁１３の高さ方向中間部にも位置決め突起３２が設けられている。
【００１８】
図１及び図３のように、樋継手Ａのインナー部材５０は、下壁５１とその下壁５１の前端縁及び後端縁からそれぞれ立ち上がっている前壁５２及び後壁５３とを一体に有し、それらの下壁５１、前壁５２及び後壁５３には弾性が備わっている。前壁５２は下側部分５４と上側部分５５とに２区画されており、上側部分５５の上端部に、この上側部分５５の弾性により上記第２係合突起２２に弾圧係合される被係合部５６が形成されている。また、上側部分５５の上端部には、被係合部５６の内側に位置する把手部５７が二股状に形成されていると共に、上側部分５５の下端部の左右方向適所に水抜き孔５８が開設されている。
【００１９】
インナー部材５０の後壁５３の上端部には、全長に亘って、その後壁５３から内側に突き出す形で被係合部５９が備わっている。
【００２０】
上記したアウター部材１０とインナー部材５０とにおいて、アウター部材１０の第２係合突起２２，２８の左右方向長さＬ１とインナー部材５０の被係合部５６，５９の左右方向長さＬ２とは略同一か、あるいは、第２係合突起２２，２８の左右方向長さＬ１よりも被係合部５６，５９の左右方向長さＬ２が短くなっている。
【００２１】
以上説明した樋継手Ａを用いて軒樋Ｂを接続する場合を図１、図４、図５及び図６を参照して説明する。
【００２２】
アウター部材１０の内側に、２つの軒樋Ｂを相対向状にして嵌め込んでアウター部材１０の前後の２つずつの第１係合突起２１，２７に軒樋Ｂの前後の耳部８，９の内側コーナ部８ａ，９ａをそれぞれ係合させると、軒樋Ｂの耳部８，９がアウター部材１０に保持される。この状態では、軒樋Ｂの底壁１と前壁２と後壁３とがアウター部材の下壁１１と前壁１２と後壁１３とにそれぞれ弾接状態で重なり合い、しかも、軒樋Ｂの中空部４がアウター部材１０の膨らみ部１４に嵌まって水切り凸条５が水切り凹条１５に嵌合し、また、軒樋Ｂの水受け部６がアウター部材１０の膨らみ部１６に嵌まる。
【００２３】
次に、上記のようにして軒樋Ｂを嵌め込んだアウター部材１０の内側にインナー部材５０を嵌め込み、アウター部材１０の前後の第２係合突起２２，２８にインナー部材５０の前後の被係合部５６，５９を係合させると、インナー部材５０がアウター部材１０に保持される。この際、軒樋Ｂやアウター部材１０やインナー部材５０に製造上の寸法誤差があっても、インナー部材５０の前壁５２の上側部分５５が軒樋Ｂと間隙を有しているので、この上側部分５５の弾性変形が容易になり、上記寸法誤差を吸収して確実に保持される。この状態では、軒樋Ｂの底壁１がインナー部材５０及びアウター部材１０の各下壁５１，１１によって弾圧挟持され、軒樋Ｂの前壁２がインナー部材５０及びアウター部材１０の各前壁５２，１２によって弾圧挟持され、軒樋Ｂの後壁３がインナー部材５０及びアウター部材１０の各後壁５３，１３によって弾圧挟持される。
【００２４】
ここで、第１係合突起２１，２７が第２係合突起２２，２８よりも内側に位置ずれしているので、先に、第１係合突起２１，２７に軒樋Ｂの耳部８，９の内側コーナ部８ａ，９ａを係合させ、次に、第２係合突起２２，２８にインナー部材５０の被係合部５６，５９を係合させるという手順を踏むと、それらの各係合作業を容易に行うことができる。しかも、各係合箇所を目で見て確認しやすいので、係合状態の良否を的確に判断することができ、係合が適正に行われていないときには適正に修正する作業を容易に行うことができる。しかも、図１、図４及び図５のように、軒樋Ｂの耳部８，９とインナー部材５０の被係合部５６，５９とが離れた状態に保たれるので、施工後に風雨の影響などで軒樋Ｂの耳部８，９が変位しとしても、そのような耳部８，９の変位の影響が係合箇所に及びにくく、そのためにその係合箇所が容易に外れという事態が起こらない。
【００２５】
また、インナー部材５０の被係合部５６，５９をアウター部材１０の第２係合突起２２，２８に係合させる際、把手部５７を手で持って外側に押して係合させるが、被係合部５６，５９を外側に押し過ぎたとしても、アウター部材１０の第１係合突起２１，２７は第２係合突起２２，２８の両側に位置しているため、被係合部５６，５９が誤って第１係合突起２１，２７に係合するという事態の起こる余地がなく、そのことが適正な施工を行いやすくすることに役立つ。また、インナー部材５０の前壁５２の上側部分５５が軒樋Ｂの前壁２と間隙を有しているので、その上側部分５５の弾性を利用することで係合作業を容易に行えるようになる。
【００２６】
アウター部材１０とインナー部材５０とによって軒樋Ｂを弾圧挟持させる前又はその後で、２つの軒樋Ｂの端面が図６のようにアウター部材１０の位置決め突起３１，３２に当たるように位置修正することが望ましく、そのようにすると、２つの軒樋Ｂの接続箇所での相互間隔が適正に定まる。
【００２７】
上記のようにして樋継手Ａで２つの軒樋Ｂを接続した場合、軒樋Ｂの前壁１２とインナー部材５０の前壁５２の上側部分５５との間に隙間が形成され、その隙間に雨水が浸入することになるけれども、この隙間に浸入した雨水は、インナー部材５０の前壁５２の上側部分５５の下端に開設されている水抜き開口５８から速やかに軒樋Ｂの中に導入されるので、その隙間に雨水が溜まるという事態が起こらない。さらに、軒樋Ｂの水受け溝６に入った雨水は、その水受け溝６の端部からアウター部材１０の前壁１２の上側部分とインナー部材５０の前壁５２の上側部分との間の隙間に流下し、その後、その隙間の両端あるいは水抜き開口５８から軒樋Ｂの内部に流入したり、或は、水受け溝６に設けた水抜き孔６ａ、７ａから軒樋Ｂの内部に流入する。
【００２８】
この第１実施形態では、図２及び図３で説明したように、アウター部材１０側の第２係合突起２２，２８の左右方向長さＬ１とインナー部材５０側の被係合部５６，５９の左右方向長さＬ２とを略同一か、あるいは、第２係合突起２２，２８の左右方向長さＬ１よりも被係合部５６，５９の左右方向長さＬ２を短くしてあるので、被係合部５６，５９の全体が第２係合突起２２，２８に係合するようにアウター部材１０に対するインナー部材５０の位置関係を定めるだけで、図６のように、インナー部材５０の位置がアウター部材１０の左右方向中央部に定まる利点がある。
【００２９】
また、第１実施形態では、第２係合突起２２，２８の長さＬ１を耳押え部１８の幅狭部２０の全幅に亘る長さに定めてあるけれども、この点は、図７に示したように、第２係合突起２２，２８の長さＬ１を耳押え部１８の幅狭部２０の全幅よりも短い長さに定めてその第２係合突起２２，２８を幅狭部２０の中央部に形成すると共に、第２係合突起２２，２８の両側を耳押え部２４の裏面と面一にしておいてもよい。この場合、左右一対ずつの第１係合突起２１，２７を耳押え部１８の幅広部１９の中央側に延ばしてそれらの延出端が上記第２係合突起２２，２８の両端と左右方向で一致しないようにしてある。このようなアウター部材１０に対しても、図１や図３などで説明したものと同じ形状及び寸法のインナー部材５０を用いることが可能である。なお、第１係合突起２１，２７をさらに中央に延ばしてそれらの延出端を第２係合突起２２，２８と内外方向で一致させておいてもよい。
【００３０】
また、上記第１実施形態では、第１係合突起２１，２７の２分割された相互間は耳押え部１８の裏面と面一に形成されているけれども、この点は、図８及び図９に示したように、左右の各第１係合突起２１，２７の相互間部２１０，２７０と幅広部１９，２５の相互間部２１０，２７０に相当する突出部２１１，２７１を第１係合突起２１，２７と同じ突出長となるように下方に突出させておいてもよい。このようにすることで、軒樋Ｂの端面が相互間部２１０，２７０の側面に当接するので、その軒樋Ｂの位置決めが確実に行われ、さらに、インナー部材５０の被係合部５６，５９の第２係合突起２２，２８への係合も、外側へ押し過ぎても相互間部２１０，２７０の下面に乗り上げるだけで他と係合しないために、確実な係合が行われ、作業も容易になる。なお、突出部２１１，２７１は下に突出する分だけ厚肉となるので、これを解消するため、図９に示すように、その上面を凹ませておいてもよい。
【００３１】
第１実施形態では、第２係合突起２２，２８の位置が第１係合突起２１，２７の位置の内方にずれており、かつ、第１係合突起２１，２７が、第２係合突起２２，２８を挟む両側に位置するように２分割されている事例を説明したけれども、この点は、第１係合突起の位置が第２係合突起の位置の内方にずれており、かつ、第１係合突起が、第２係合突起を挟む両側に位置するように２分割されていてもよく、その事例を第２実施形態として次に説明する。
【００３２】
図１０は第２実施形態に係る樋継手Ａのアウター部材１０の概略平面図、図１１は同インナー部材５０の概略平面図、図１２及び図１３はアウター部材１０とインナー部材５０との係合箇所の拡大側面図、図１４はアウター部材１０と軒樋Ｂとインナー部材５０との左右方向での位置関係を平面視で示した説明図である。
【００３３】
図１０で判るように、アウター部材１０の前側の耳押え部１８は、その中央部に第２係合突起２２を有し、その第２係合突起２２を挟む両側に２分割された２つの第１係合突起２１，２１を有している。そして、第１係合突起２１，２１の位置が第２係合突起２２の位置の内方にずれている。後側の耳押え部２４についても同様の構成になっている。
【００３４】
図１１で判るように、インナー部材５０は、その前壁の上側部分５５の上端部に被係合部５６が設けられている。後壁についても同様にその上端部に被係合部５９が設けられている。
【００３５】
第２実施形態の樋継手を用いて軒樋を接続する場合を図１２、図１３及び図１４を参照して説明する。
【００３６】
図１２及び図１３のように、２つの軒樋Ｂを相対向状にして嵌め込んでアウター部材１０の前後２つずつの第１係合突起２１，２７に軒樋Ｂの前後の耳部８，９の内側コーナ部８ａ，９ａをそれぞれ係合させると、２つの軒樋Ｂのそれぞれの耳部８，９がアウター部材１０側に保持される。軒樋Ｂを嵌め込んだアウター部材１０の内側にインナー部材５０を嵌め込み、アウター部材１０の第２係合突起２２，２８にインナー部材５０側の前後の被係合部５６，５９を係合させると、インナー部材５０がアウター部材１０に保持される。
【００３７】
この実施形態でも、第１係合突起２１，２７と第２係合突起２２，２８とが内外方向に位置ずれしているので、第１係合突起２１，２７と軒樋Ｂの耳部８，９の内側コーナ部８ａ，９ａとを係合させる作業や、第２係合突起２２，２８とインナー部材５０の被係合部５６，５９とを係合させる作業とを容易に行うことができる。併せて、各係合箇所を目で見て確認しやすいので、係合状態の良否を的確に判断することができ、係合が適正に行われていないときには適正に修正する作業を容易に行うことができる。
【００３８】
第２実施形態の樋継手Ａにおいても、アウター部材１０の第２係合突起２２，２８の左右方向長さＬ１とインナー部材５０側の被係合部５６，５９の左右方向長さＬ２とを略同一か、あるいは、第２係合突起２２，２８の左右方向長さＬ１よりも被係合部５６，５９の左右方向長さＬ２を短くしてある。そのため、被係合部５６，５９の全体が第２係合突起２２，２８に係合するようにアウター部材１０に対するインナー部材５０の位置関係を定めるだけで、図６のように、インナー部材５０の位置がアウター部材５０の左右方向中央部に定まる利点がある。
また、第２係合突起２２，２８に係合したインナー部材５０の被係合部５７，５９が、２つの軒樋Ｂの各耳部８，９の相互間に位置するので、２つの軒樋Ｂは必ず被係合部５７，５９の左右方向の長さＬ２だけの間隙を開けて接続されることとなり、軒樋Ｂの水受け溝６からの雨水の流入を確実になすことができる。
【００３９】
この第２実施形態において、その他の事項は上述した第１実施形態と同様であるので、同一部分に同一符号を付して詳細な説明を省略した。
上記第１実施形態と第２実施形態の第１係合突起と第２係合突起は、連続したリブ状の凸状となしたが、これに限らず、突起を不連続に並べた形状（凸部を並べた形状）にしてもよい。
【００４０】
【発明の効果】
以上のように、本発明によれば、軒樋の接続を作業性よく行うことが可能になり、しかも、施工後にアウター部材とインナー部材との係合箇所が風雨などの影響で容易に外れることがなく、長期に亘り初期の外観を保つことができるようになるという効果がある。その上、係合箇所での施工間違い（施工ミス）が生じなくなる。そのほか、軒樋をアウター部材とインナー部材とによって弾圧挟持した状態で強固に接合することができるという効果や、アウター部材とインナー部材との間に形成される隙間に浸入した雨水が速やかに軒樋の内部に導入されるようになるといった効果が奏される。
【図面の簡単な説明】
【図１】本発明の第１実施形態に係る樋継手の使用状態を示した側面図である。
【図２】アウター部材の概略平面図である。
【図３】インナー部材の概略平面図である。
【図４】図１のＩＶ部拡大図である。
【図５】図１のＶ部拡大図である。
【図６】アウター部材と軒樋とインナー部材との左右方向での位置関係を平面視で示した説明図である。
【図７】第１実施形態の変形例によるアウター部材の概略平面図である。
【図８】第１実施形態の他の変形例によるアウター部材の概略平面図である。
【図９】図８の要部の拡大断面図である。
【図１０】本発明の第２実施形態に係る樋継手のアウター部材の概略平面図である。
【図１１】同インナー部材の概略平面図である。
【図１２】同アウター部材とインナー部材との前側の係合箇所の拡大側面図である。
【図１３】同アウター部材とインナー部材との後側の係合箇所の拡大側面図である。
【図１４】アウター部材と軒樋とインナー部材との左右方向での位置関係を平面視で示した説明図である。
【符号の説明】
Ａ  樋継手
Ｂ  軒樋
８，９  耳部
８ａ，９ａ  耳部の内側コーナ部
１  軒樋の底壁
２  軒樋の前壁
１０  アウター部材
１１  アウター部材の下壁
１２  アウター部材の前壁
１８，２４  耳押え部
２１，２７  第１係合突起
２２，２８  第２係合突起
５０  インナー部材
５１  インナー部材の下壁
５２  インナー部材の前壁
５４  下側部分
５５  上側部分
５６、５９  被係合部
【図１】
0004574810.tif 000002
【図２】
0004574810.tif 000003
【図３】
0004574810.tif 000004
【図４】
0004574810.tif 000005
【図５】
0004574810.tif 000006
【図６】
0004574810.tif 000007
【図７】
0004574810.tif 000008
【図８】
0004574810.tif 000009
【図９】
0004574810.tif 000010
【図１０】
0004574810.tif 000011
【図１１】
0004574810.tif 000012
【図１２】
0004574810.tif 000013
【図１３】
0004574810.tif 000014
【図１４】
0004574810.tif 000015